(57)【要約】  開示される、移動体通信システムの基地局は、ユーザ装置より受信した該ユーザ装置の移動速度を示す信号に基づいて、そのユーザ装置の移動速度を検出する速度検出部；並びに、当該ユーザ装置からの前記チャネル品質情報の報告が、前記移動体通信システムに割り当てられるシステム帯域の全体の受信品質を示す広帯域チャネル品質情報、または、前記広域帯チャネル品質情報と、前記システム帯域の複数のサブバンドに対応する複数のチャネル品質情報のうちの少なくとも一つのチャネル品質情報との組み合わせ、のいずれを用いて行われるべきかを前記速度検出部により検出された前記移動速度に基づいて決定する決定部；を備える。
2009087924.tif 000002
【特許請求の範囲】
【請求項１】
移動体通信システムにおける基地局であって：
ユーザ装置に関する所定の情報を検出する検出部；および
前記所定の情報に基づいて、当該ユーザ装置が前記基地局に報告すべきチャネル品質情報の種別を決定する決定部；
を備える基地局。
【請求項２】
前記検出部は、前記ユーザ装置より受信した当該ユーザ装置の移動速度を示す信号に基づいて、当該ユーザ装置の前記移動速度を検出し、
前記決定部は、前記移動速度に基づいて、
前記移動体通信システムに割り当てられるシステム帯域の全体の受信品質を示す広帯域チャネル品質情報、または
前記広域帯チャネル品質情報と、前記システム帯域の複数のサブバンドに対応する複数のチャネル品質情報のうちの少なくとも一つとの組み合わせ、
のいずれを前記ユーザ装置が前記基地局に報告すべきかを決定する、請求項１に記載の基地局。
【請求項３】
前記検出部は、前記移動体通信システムに割り当てられるシステム帯域の全体の受信品質を示す広域帯チャネル品質情報と、前記システム帯域の複数のサブバンドに対応する複数のチャネル品質情報のうちの少なくとも一つのチャネル品質情報との組み合わせを前記ユーザ装置が前記基地局に報告することとなっている場合に、前記基地局が形成するセル又はセクタに存在する前記ユーザ装置の数を検出し、
前記決定部は、前記ユーザ装置の数についての第１の基準に基づいて、
前記広帯域チャネル品質情報と、前記複数のチャネル品質情報のうちから高い順に選択されたＭ個のチャネル品質情報もしくは前記ユーザ装置において選択されるＭ個のチャネル品質情報の平均値との第１の組み合わせ、または
前記広帯域チャネル品質情報と、前記複数のチャネル品質情報のうちから前記基地局が構成する、サブチャネルのチャネル品質情報との第２の組み合わせ、
のいずれを前記ユーザ装置が前記基地局に報告すべきかを決定する、請求項１に記載の基地局。
【請求項４】
前記検出部は、前記移動体通信システムに割り当てられるシステム帯域の全体の受信品質を示す広域帯チャネル品質情報と、前記システム帯域の複数のサブバンドに対応する複数のチャネル品質情報のうちの少なくとも一つのチャネル品質情報との組み合わせを前記ユーザ装置が前記基地局に報告することとなっている場合に、前記ユーザ装置より受信した受信信号から前記広帯域チャネル品質情報を抽出し、
前記決定部は、前記抽出された前記広帯域チャネル品質情報についての第１の基準に基づいて、
前記広帯域チャネル品質情報と、前記複数のチャネル品質情報のうちから高い順に選択されたＭ個のチャネル品質情報もしくは前記ユーザ装置において選択されるＭ個のチャネル品質情報の平均値との第１の組み合わせ、または、
前記広帯域チャネル品質情報と、前記複数のチャネル品質情報のうちから前記基地局が構成する、サブチャネルのチャネル品質情報との第２の組み合わせ、
のいずれを前記ユーザ装置が前記基地局に報告すべきかを決定する、請求項１に記載の基地局。
【請求項５】
前記決定部は、前記第１の組み合わせに決定した場合に、前記ユーザ装置の数についての第２の基準に基づいて、前記ユーザ装置が前記広帯域チャネル品質情報のみを前記基地局に報告すべきことを決定する、請求項３に記載の基地局。
【請求項６】
前記決定部は、前記第１の組み合わせに決定した場合に、前記抽出された広帯域チャネル品質情報についての第２の基準に基づいて、前記ユーザ装置が前記広帯域チャネル品質情報のみを前記基地局に報告すべきことを決定する、請求項４に記載の基地局。
【請求項７】
前記決定部による決定が、高レイヤシグナリングにより前記ユーザ装置に固有に通知される、請求項２に記載の基地局。
【請求項８】
前記決定部による決定が、高レイヤシグナリングによりセル又はセクタに固有に通知される、請求項３に記載の基地局。
【請求項９】
請求項２に記載の基地局と通信を行うユーザ装置であって、当該ユーザ装置の移動速度を測定する移動速度測定部を備えるユーザ装置。
【請求項１０】
移動体通信システムの基地局であって：
上り制御チャネルを使用してチャネル品質情報を周期的に報告するユーザ装置の要求品質情報を取得して、取得した要求品質情報が所定基準以下か否かを判定する要求品質情報判定部；および
前記要求品質情報判定部によって前記要求品質情報が前記所定基準より高いと判定された場合に、当該ユーザ装置に対して上り共有チャネルの使用を許容すべきことを決定する決定部；
を備える基地局。
【請求項１１】
前記要求品質情報判定部によって前記要求品質情報が前記所定基準以下と判定された場合に、前記上り制御チャネルで送信される信号の多重数が所定数以下か否かを判定する多重数判定部を更に備え、
前記多重数判定部によって前記多重数が前記所定数より大きいと判定された場合に、前記決定部が、当該ユーザ装置に対して上り共有チャネルの使用を許容すべきことを決定する、請求項１０に記載の基地局。
【請求項１２】
移動体通信システムの基地局であって：
上り制御チャネルを使用してチャネル品質情報を周期的に報告する複数のユーザ装置に対し前記基地局によりリソースブロックが割り当てられた場合に、システムに許容される全リソースブロック数に対する、割り当てられたリソースブロックの数の割合が所定の基準割合以下か否かを判定するリソースブロック割合判定部；および
前記リソースブロック割合判定部によって前記リソースブロックの割合が所定の基準割合以下と判定された場合に、上り共有チャネルを使用したチャネル品質情報の報告を前記ユーザ装置に対して要求すべきことを決定する決定部；
を備える基地局。
【請求項１３】
移動体通信システムの基地局であって：
上り制御チャネルを使用してチャネル品質情報を周期的に報告する複数のユーザ装置に対し前記基地局によりリソースブロックが割り当てられた場合に、前記上り制御チャネルの受信品質が所定の基準値以下か否かを判定する受信品質判定部；および
前記受信品質判定部によって前記受信品質が所定の基準値以下と判定された場合に、上り共有チャネルを使用したチャネル品質情報の報告を前記ユーザ装置に対して要求すべきことを決定する決定部；
を備える基地局。
【請求項１４】
移動体通信システムにおける、ユーザ装置から基地局へのチャネル品質情報の報告法を決定する方法であって：
前記ユーザ装置に関する所定の情報を検出する検出ステップ；および
前記所定の情報に基づいて、当該ユーザ装置が前記基地局に報告すべきチャネル品質情報の種別を決定する決定ステップ；
を含む方法。
【請求項１５】
前記検出ステップにおいて、前記ユーザ装置より該ユーザ装置の移動速度を示す信号が受信され、この信号に基づいて、当該ユーザ装置の前記移動速度が検出され、
前記決定ステップにおいて、前記移動速度に基づいて、
前記移動体通信システムに割り当てられるシステム帯域の全体の受信品質を示す広帯域チャネル品質情報、または
前記広域帯チャネル品質情報と、前記システム帯域の複数のサブバンドに対応する複数のチャネル品質情報のうちの少なくとも一つとの組み合わせ、
のいずれを前記ユーザ装置が前記基地局に報告すべきかが決定される、請求項１４に記載の方法。
【請求項１６】
前記検出ステップにおいて、前記移動体通信システムに割り当てられるシステム帯域の全体の受信品質を示す広域帯チャネル品質情報と、前記システム帯域の複数のサブバンドに対応する複数のチャネル品質情報のうちの少なくとも一つのチャネル品質情報との組み合わせを前記ユーザ装置が前記基地局に報告することとなっている場合に、前記基地局が形成するセル又はセクタに存在するユーザ装置の数が検出され、
前記決定ステップにおいて、前記ユーザ装置の数についての第１の基準に基づいて、
前記広帯域チャネル品質情報と、前記複数のチャネル品質情報のうちから高い順に選択されたＭ個のチャネル品質情報もしくは前記ユーザ装置において選択されるＭ個のチャネル品質情報の平均値との第１の組み合わせ、または
前記広帯域チャネル品質情報と、前記複数のチャネル品質情報のうちから前記基地局が構成する、サブチャネルのチャネル品質情報との第２の組み合わせ、
のいずれを前記ユーザ装置が前記基地局に報告すべきかが決定される、請求項１４に記載の方法。
【請求項１７】
前記検出ステップにおいて、前記移動体通信システムに割り当てられるシステム帯域の全体の受信品質を示す広域帯チャネル品質情報と、前記システム帯域の複数のサブバンドに対応する複数のチャネル品質情報のうちの少なくとも一つのチャネル品質情報との組み合わせを前記ユーザ装置が前記基地局に報告することとなっている場合に、前記ユーザ装置より受信した受信信号から前記広帯域チャネル品質情報が抽出され、
前記決定ステップにおいて、前記抽出された前記広帯域チャネル品質情報についての第１の基準に基づいて、
前記広帯域チャネル品質情報と、前記複数のチャネル品質情報のうちから高い順に選択されたＭ個のチャネル品質情報もしくは前記ユーザ装置において選択されるＭ個のチャネル品質情報の平均値との第１の組み合わせ、または、
前記広帯域チャネル品質情報と、前記複数のチャネル品質情報のうちから前記基地局が構成する、サブチャネルのチャネル品質情報との第２の組み合わせ、
のいずれを前記ユーザ装置が前記基地局に報告すべきかが決定される、請求項１４に記載の方法。
【請求項１８】
前記第１の組み合わせに決定された場合に、前記ユーザ装置の数についての第２の基準に基づいて、前記ユーザ装置が前記広帯域チャネル品質情報のみを前記基地局に報告すべきことが決定される他の決定ステップを更に含む、請求項１６に記載の方法。
【請求項１９】
前記第１の組み合わせに決定した場合に、前記抽出された広帯域チャネル品質情報についての第２の基準に基づいて、前記ユーザ装置が前記広帯域チャネル品質情報のみを前記基地局に報告すべきことが決定される他の決定ステップを更に含む、請求項１７に記載の方法。
【請求項２０】
前記ユーザ装置の数に基づく決定を、高レイヤシグナリングにより前記ユーザ装置に固有に通知するステップを更に有する、請求項１５に記載の方法。
【請求項２１】
前記抽出した広帯域チャネル品質情報に基づく決定を、高レイヤシグナリングによりセル又はセクタに固有に通知するステップを更に含む、請求項１６に記載の方法。
【請求項２２】
移動体通信システムにおける、ユーザ装置から基地局へのチャネル品質情報の報告法を決定する方法であって：
上り制御チャネルを使用してチャネル品質情報を周期的に報告するユーザ装置の要求品質情報を取得して、取得した要求品質情報が所定基準以下か否かを判定するステップ；および
前記要求品質情報が前記所定基準より高いと判定した場合に、当該ユーザ装置に対して上り共有チャネルの使用を許容すべきことを決定するステップ；
を含む方法。
【請求項２３】
前記要求品質情報が前記所定基準以下と判定した場合に、前記上り制御チャネルで送信される信号の多重数が所定数以下か否かを判定するステップ；および
前記多重数が前記所定数より大きいと判定した場合に、当該ユーザ装置に対して上り共有チャネルの使用を許容すべきことを決定するステップ；を更に含む請求項２２に記載の方法。
【請求項２４】
移動体通信システムにおける、ユーザ装置から基地局へのチャネル品質情報の報告法を決定する方法であって：
上り制御チャネルを使用してチャネル品質情報を周期的に報告する複数のユーザ装置に対し前記基地局によりリソースブロックが割り当てられた場合に、システムに許容される全リソースブロック数に対する、割り当てられたリソースブロックの数の割合が所定の基準割合以下か否かを判定するステップ；および
前記リソースブロックの割合が所定の基準割合以下と判定した場合に、上り共有チャネルを使用したチャネル品質情報の報告を前記ユーザ装置に対して要求すべきことを決定するステップ；
を含む方法。
【請求項２５】
移動体通信システムにおける、ユーザ装置から基地局へのチャネル品質情報の報告法を決定する方法であって：
上り制御チャネルを使用してチャネル品質情報を周期的に報告する複数のユーザ装置に対し前記基地局によりリソースブロックが割り当てられた場合に、前記上り制御チャネルの受信品質が所定の基準値以下か否かを判定するステップ；および
前記受信品質が所定の基準値以下と判定した場合に、上り共有チャネルを使用したチャネル品質情報の報告を前記ユーザ装置に対して要求すべきことを決定するステップ；
を含む方法。
【発明の詳細な説明】
【技術分野】
【０００１】
本発明は、上りリンクでチャネル品質情報を報告する方法、この方法の実施に好適な基地局およびユーザ装置に関する。
【背景技術】
【０００２】
ユーザ装置が基地局に対してチャネル品質情報（Channel Quality Indicator: ＣＱＩ）を報告する方法として、標準化団体３ＧＰＰ（3rd Generation Partnership Project）において、例えば3GPP TSG RAN WG1 Meeting #51 （（R1-075069）、2007年11月5〜9日）において検討されている。【０００３】
まず、チャネル品質情報の報告タイミングに関しては、周期的な報告と非周期的な報告とがある。周期的な報告においては、ユーザ装置は、上りリンク制御チャネル（ＰＵＣＣＨ：Physical Uplink Control Channel）又は上りリンク共有チャネル（ＰＵＳＣＨ：Physical Uplink Shared Channel）を使用して、一定の時間間隔でＣＱＩを送信する。一方、非周期的な報告においては、ユーザ装置は、基地局からの要求（request）に応答して、ＰＵＳＣＨを使用して、ＣＱＩを送信する。【０００４】
また、ＣＱＩと周波数との関係に着目すると、ＣＱＩには、システム帯域全体のチャネル品質を表す広帯域ＣＱＩと、システム帯域の各サブバンドのチャネル品質を表すサブバンド毎のＣＱＩ（周波数選択性ＣＱＩ）と、がある。そして、（Ａ）広帯域ＣＱＩのみ、（Ｂ）広帯域ＣＱＩとユーザ装置が選択したサブバンド毎のＣＱＩ、（Ｃ）広帯域ＣＱＩと基地局が構成したサブバンド毎のＣＱＩ、のいずれかが報告される。
【発明の開示】
【発明が解決しようとする課題】
【０００５】
３ＧＰＰにおいて、上述のＣＱＩ報告法が検討されているが、これらをどのように使い分けるかについては、何ら検討されていない。 
そこで、本発明は、上記の事情に鑑み、ユーザ装置から基地局へのチャネル品質情報の報告法を決定する方法、並びにこの方法の使用に好適な基地局およびユーザ装置を提供することを目的とする。
【課題を解決するための手段】
【０００６】
上記の目的を達成するため、本発明の第１の態様は、移動体通信システムにおける基地局であって：ユーザ装置に関する所定の情報を検出する検出部；および前記所定の情報に基づいて、当該ユーザ装置が前記基地局に報告すべきチャネル品質情報の種別を決定する決定部；を備える基地局を提供する。【０００７】
本発明の第２の態様は、第１の態様の基地局であって、前記検出部は、前記ユーザ装置より受信した当該ユーザ装置の移動速度を示す信号に基づいて、当該ユーザ装置の前記移動速度を検出し、前記決定部は、前記移動速度に基づいて、前記移動体通信システムに割り当てられるシステム帯域の全体の受信品質を示す広帯域チャネル品質情報、または前記広域帯チャネル品質情報と、前記システム帯域の複数のサブバンドに対応する複数のチャネル品質情報のうちの少なくとも一つとの組み合わせ、のいずれを前記ユーザ装置が前記基地局に報告すべきかを決定する基地局を提供する。【０００８】
本発明の第３の態様は、第１の態様の基地局であって、前記検出部は、前記移動体通信システムに割り当てられるシステム帯域の全体の受信品質を示す広域帯チャネル品質情報と、前記システム帯域の複数のサブバンドに対応する複数のチャネル品質情報のうちの少なくとも一つのチャネル品質情報との組み合わせを前記ユーザ装置が前記基地局に報告することとなっている場合に、前記基地局が形成するセル又はセクタに存在する前記ユーザ装置の数を検出し、前記決定部は、前記ユーザ装置の数についての第１の基準に基づいて、前記広帯域チャネル品質情報と、前記複数のチャネル品質情報のうちから高い順に選択されたＭ個のチャネル品質情報もしくは前記ユーザ装置において選択されるＭ個のチャネル品質情報の平均値との第１の組み合わせ、または前記広帯域チャネル品質情報と、前記複数のチャネル品質情報のうちから前記基地局が構成する、サブチャネルのチャネル品質情報との第２の組み合わせ、のいずれを前記ユーザ装置が前記基地局に報告すべきかを決定する基地局を提供する。【０００９】
本発明の第４の態様は、第１の態様の基地局であって、前記検出部は、前記移動体通信システムに割り当てられるシステム帯域の全体の受信品質を示す広域帯チャネル品質情報と、前記システム帯域の複数のサブバンドに対応する複数のチャネル品質情報のうちの少なくとも一つのチャネル品質情報との組み合わせを前記ユーザ装置が前記基地局に報告することとなっている場合に、前記ユーザ装置より受信した受信信号から前記広帯域チャネル品質情報を抽出し、前記決定部は、前記抽出された前記広帯域チャネル品質情報についての第１の基準に基づいて、前記広帯域チャネル品質情報と、前記複数のチャネル品質情報のうちから高い順に選択されたＭ個のチャネル品質情報もしくは前記ユーザ装置において選択されるＭ個のチャネル品質情報の平均値との第１の組み合わせ、または、前記広帯域チャネル品質情報と、前記複数のチャネル品質情報のうちから前記基地局が構成する、サブチャネルのチャネル品質情報との第２の組み合わせ、のいずれを前記ユーザ装置が前記基地局に報告すべきかを決定する基地局を提供する。【００１０】
本発明の第５の態様は、第３の態様の基地局であって、前記決定部は、前記第１の組み合わせに決定した場合に、前記ユーザ装置の数についての第２の基準に基づいて、前記ユーザ装置が前記広帯域チャネル品質情報のみを前記基地局に報告すべきことを決定する基地局を提供する。【００１１】
本発明の第６の態様は、第４の態様の基地局であって、前記決定部は、前記第１の組み合わせに決定した場合に、前記抽出された広帯域チャネル品質情報についての第２の基準に基づいて、前記ユーザ装置が前記広帯域チャネル品質情報のみを前記基地局に報告すべきことを決定する基地局を提供する。【００１２】
本発明の第７の態様は、第２、第４、または第６の態様の基地局であって、前記決定部による決定が、高レイヤシグナリングにより前記ユーザ装置に固有に通知される基地局を提供する。【００１３】
本発明の第８の態様は、第３または第５の態様の基地局であって、前記決定部による決定が、高レイヤシグナリングによりセル又はセクタに固有に通知される基地局を提供する。【００１４】
本発明の第９の態様は、第２から第８のいずれかの態様の基地局と通信を行うユーザ装置であって、当該ユーザ装置の移動速度を測定する移動速度測定部を備えるユーザ装置を提供する。【００１５】
本発明の第１０の態様は、移動体通信システムの基地局であって：上り制御チャネルを使用してチャネル品質情報を周期的に報告するユーザ装置の要求品質情報を取得して、取得した要求品質情報が所定基準以下か否かを判定する要求品質情報判定部；および前記要求品質情報判定部によって前記要求品質情報が前記所定基準より高いと判定された場合に、当該ユーザ装置に対して上り共有チャネルの使用を許容すべきことを決定する決定部；を備える基地局を提供する。【００１６】
本発明の第１１の態様は、第１０の態様の基地局であって、前記要求品質情報判定部によって前記要求品質情報が前記所定基準以下と判定された場合に、前記上り制御チャネルで送信される信号の多重数が所定数以下か否かを判定する多重数判定部を更に備え、前記多重数判定部によって前記多重数が前記所定数より大きいと判定された場合に、前記決定部が、当該ユーザ装置に対して上り共有チャネルの使用を許容すべきことを決定する基地局を提供する。【００１７】
本発明の第１２の態様は、移動体通信システムの基地局であって：上り制御チャネルを使用してチャネル品質情報を周期的に報告する複数のユーザ装置に対し前記基地局によりリソースブロックが割り当てられた場合に、システムに許容される全リソースブロック数に対する、割り当てられたリソースブロックの数の割合が所定の基準割合以下か否かを判定するリソースブロック割合判定部；および前記リソースブロック割合判定部によって前記リソースブロックの割合が所定の基準割合以下と判定された場合に、上り共有チャネルを使用したチャネル品質情報の報告を前記ユーザ装置に対して要求すべきことを決定する決定部；を備える基地局を提供する。【００１８】
本発明の第１３の態様は、移動体通信システムの基地局であって：上り制御チャネルを使用してチャネル品質情報を周期的に報告する複数のユーザ装置に対し前記基地局によりリソースブロックが割り当てられた場合に、前記上り制御チャネルの受信品質が所定の基準値以下か否かを判定する受信品質判定部；および前記受信品質判定部によって前記受信品質が所定の基準値以下と判定された場合に、上り共有チャネルを使用したチャネル品質情報の報告を前記ユーザ装置に対して要求すべきことを決定する決定部；を備える基地局を提供する。【００１９】
本発明の第１４の態様は、移動体通信システムにおける、ユーザ装置から基地局へのチャネル品質情報の報告法を決定する方法であって：前記ユーザ装置に関する所定の情報を検出する検出ステップ；および前記所定の情報に基づいて、当該ユーザ装置が前記基地局に報告すべきチャネル品質情報の種別を決定する決定ステップ；を含む方法を提供する。【００２０】
本発明の第１５の態様は、第１４の態様の方法であって、前記検出ステップにおいて、前記ユーザ装置より該ユーザ装置の移動速度を示す信号が受信され、この信号に基づいて、当該ユーザ装置の前記移動速度が検出され、前記決定ステップにおいて、前記移動速度に基づいて、前記移動体通信システムに割り当てられるシステム帯域の全体の受信品質を示す広帯域チャネル品質情報、または前記広域帯チャネル品質情報と、前記システム帯域の複数のサブバンドに対応する複数のチャネル品質情報のうちの少なくとも一つとの組み合わせ、のいずれを前記ユーザ装置が前記基地局に報告すべきかが決定される方法を提供する。【００２１】
本発明の第１６の態様は、第１４の態様の方法であって、前記検出ステップにおいて、前記移動体通信システムに割り当てられるシステム帯域の全体の受信品質を示す広域帯チャネル品質情報と、前記システム帯域の複数のサブバンドに対応する複数のチャネル品質情報のうちの少なくとも一つのチャネル品質情報との組み合わせを前記ユーザ装置が前記基地局に報告することとなっている場合に、前記基地局が形成するセル又はセクタに存在するユーザ装置の数が検出され、前記決定ステップにおいて、前記ユーザ装置の数についての第１の基準に基づいて、前記広帯域チャネル品質情報と、前記複数のチャネル品質情報のうちから高い順に選択されたＭ個のチャネル品質情報もしくは前記ユーザ装置において選択されるＭ個のチャネル品質情報の平均値との第１の組み合わせ、または前記広帯域チャネル品質情報と、前記複数のチャネル品質情報のうちから前記基地局が構成する、サブチャネルのチャネル品質情報との第２の組み合わせ、のいずれを前記ユーザ装置が前記基地局に報告すべきかが決定される方法を提供する。【００２２】
本発明の第１７の態様は、第１４の態様の方法であって、前記検出ステップにおいて、前記移動体通信システムに割り当てられるシステム帯域の全体の受信品質を示す広域帯チャネル品質情報と、前記システム帯域の複数のサブバンドに対応する複数のチャネル品質情報のうちの少なくとも一つのチャネル品質情報との組み合わせを前記ユーザ装置が前記基地局に報告することとなっている場合に、前記ユーザ装置より受信した受信信号から前記広帯域チャネル品質情報が抽出され、前記決定ステップにおいて、前記抽出された前記広帯域チャネル品質情報についての第１の基準に基づいて、前記広帯域チャネル品質情報と、前記複数のチャネル品質情報のうちから高い順に選択されたＭ個のチャネル品質情報もしくは前記ユーザ装置において選択されるＭ個のチャネル品質情報の平均値との第１の組み合わせ、または、前記広帯域チャネル品質情報と、前記複数のチャネル品質情報のうちから前記基地局が構成する、サブチャネルのチャネル品質情報との第２の組み合わせ、のいずれを前記ユーザ装置が前記基地局に報告すべきかが決定される方法を提供する。【００２３】
本発明の第１８の態様は、第１６の態様の方法であって、前記第１の組み合わせに決定された場合に、前記ユーザ装置の数についての第２の基準に基づいて、前記ユーザ装置が前記広帯域チャネル品質情報のみを前記基地局に報告すべきことが決定される他の決定ステップを更に含む方法を提供する。【００２４】
本発明の第１９の態様は、第１７の態様の方法であって、前記第１の組み合わせに決定した場合に、前記抽出された広帯域チャネル品質情報についての第２の基準に基づいて、前記ユーザ装置が前記広帯域チャネル品質情報のみを前記基地局に報告すべきことが決定される他の決定ステップを更に含む方法を提供する。【００２５】
本発明の第２０の態様は、第１５、第１７、または第１８の態様の方法であって、前記ユーザ装置の数に基づく決定を、高レイヤシグナリングにより前記ユーザ装置に固有に通知するステップを更に有する方法を提供する。【００２６】
本発明の第２１の態様は、第１６または第１８の態様の方法であって、前記抽出した広帯域チャネル品質情報に基づく決定を、高レイヤシグナリングによりセル又はセクタに固有に通知するステップを更に含む方法を提供する。【００２７】
本発明の第２２の態様は、移動体通信システムにおける、ユーザ装置から基地局へのチャネル品質情報の報告法を決定する方法であって：上り制御チャネルを使用してチャネル品質情報を周期的に報告するユーザ装置の要求品質情報を取得して、取得した要求品質情報が所定基準以下か否かを判定するステップ；および前記要求品質情報が前記所定基準より高いと判定した場合に、当該ユーザ装置に対して上り共有チャネルの使用を許容すべきことを決定するステップ；を含む方法を提供する。【００２８】
本発明の第２３の態様は、第２２の態様の方法であって、前記要求品質情報が前記所定基準以下と判定した場合に、前記上り制御チャネルで送信される信号の多重数が所定数以下か否かを判定するステップ；および前記多重数が前記所定数より大きいと判定した場合に、当該ユーザ装置に対して上り共有チャネルの使用を許容すべきことを決定するステップ；を更に含む方法を提供する。【００２９】
本発明の第２４の態様は、移動体通信システムにおける、ユーザ装置から基地局へのチャネル品質情報の報告法を決定する方法であって：上り制御チャネルを使用してチャネル品質情報を周期的に報告する複数のユーザ装置に対し前記基地局によりリソースブロックが割り当てられた場合に、システムに許容される全リソースブロック数に対する、割り当てられたリソースブロックの数の割合が所定の基準割合以下か否かを判定するステップ；および前記リソースブロックの割合が所定の基準割合以下と判定した場合に、上り共有チャネルを使用したチャネル品質情報の報告を前記ユーザ装置に対して要求すべきことを決定するステップ；を含む方法を提供する。【００３０】
本発明の第２５の態様は、移動体通信システムにおける、ユーザ装置から基地局へのチャネル品質情報の報告法を決定する方法であって：上り制御チャネルを使用してチャネル品質情報を周期的に報告する複数のユーザ装置に対し前記基地局によりリソースブロックが割り当てられた場合に、前記上り制御チャネルの受信品質が所定の基準値以下か否かを判定するステップ；および前記受信品質が所定の基準値以下と判定した場合に、上り共有チャネルを使用したチャネル品質情報の報告を前記ユーザ装置に対して要求すべきことを決定するステップ；を含む方法を提供する。
【発明の効果】
【００３１】
本発明の実施形態によれば、ユーザ装置から基地局へのチャネル品質情報の報告法を決定する方法、並びにこの方法の使用に好適な基地局およびユーザ装置が提供される。
【図面の簡単な説明】
【００３２】
【図１】本発明の第１の実施形態による基地局の構成を示す概略ブロック図
【図２】図１の基地局と通信するユーザ装置の構成を示す概略ブロック図
【図３】本発明の第１の実施形態によるＣＱＩ報告法決定法を示すフローチャート
【図４】本発明の第２の実施形態による基地局の構成を示す概略ブロック図
【図５】本発明の第２の実施形態によるＣＱＩ報告法決定法を示すフローチャート
【図６】本発明の第３の実施形態による基地局の構成を示す概略ブロック図
【図７】本発明の第３の実施形態によるＣＱＩ報告法決定法を示すフローチャート
【図８】本発明の第４の実施形態による基地局の構成を示す概略ブロック図
【図９】本発明の第４の実施形態によるＣＱＩ報告法決定法を示すフローチャート
【符号の説明】
【００３３】
１  基地局
１０  多重・マッピング法判定部
１２  ＣＱＩ復調部
１４  スケジューラ
１６  ユーザ装置速度検出部
１８，４８，６８  ＣＱＩ報告法決定部
２，４，６  ユーザ装置
２６  多重・マッピング法判定部
２０  ＣＱＩ測定部
２２  ＣＱＩ報告法制御部
６４  受信品質情報判定部
７６  情報判定部
【発明を実施するための最良の形態】
【００３４】
以下、添付図面を参照しながら、本発明の好適な実施形態について説明する。実施形態を説明するための全図において、同一または対応する機能を有するものは同一または対応する符号を用い、繰り返しの説明は省略する。【００３５】
まず、ユーザ装置から基地局へ報告されるチャネル品質情報（ＣＱＩ）の測定対象に基づく分類（または報告形式）について説明する。なお、ＣＱＩは、基地局から送信されたパイロットチャネル（参照信号）の受信品質、例えば、これらに限定されないが、受信信号電力Ｓ（Signal power）、受信ＳＩＮＲ（Signal-to-Interference plus Noise power Ratio）、受信信号電力対干渉信号電力比ＳＩＲ（Signal-to-Interference power Ratio)を測定することにより得られる測定値を所定の数値（例えばデシベル値）に変換することで導出される。【００３６】
（１）広帯域ＣＱＩのみの報告
広帯域ＣＱＩは、システムに許容される帯域（システム帯域、例えば２０ＭＨｚ）全体のチャネル品質を表わす。具体的には、広帯域ＣＱＩは、システム帯域内で所定の周波数間隔で取得した複数個のＣＱＩ値の平均値である。この報告方法では、一つの広帯域の一つのＣＱＩ値が報告される。【００３７】
（２）広帯域ＣＱＩとユーザ装置が選択したサブバンド毎のＣＱＩとの報告
サブバンド毎のＣＱＩ（周波数選択性ＣＱＩ）は、システム帯域を所定の周波数幅で分割することにより得られる複数のサブバンドの各々におけるＣＱＩの平均値である。すなわち、サブバンド毎にＣＱＩ値（平均値）が求められる。これらの複数の平均ＣＱＩ値の高い順にサブバンドが順位付けられ、高い方からＭ個のサブバンド（Best-M subbands）が選択され、そのＭ個のサブバンドに対応するＭ個のＣＱＩ値、または、Ｍ個のサブバンドの平均のＣＱＩ値がＣＱＩとして選択される。Ｍは、ユーザ装置において決定される１以上の自然数であり、具体的には２であってよい。この報告方法においては、このように取得されたＭ個のＣＱＩ値、または、Ｍ個のサブバンドのＣＱＩ値の平均値と、広帯域ＣＱＩとがユーザ装置から基地局へ報告（送信）される。また、Ｍ個のＣＱＩ値に対応するサブバンドのＩＤ情報（サブバンド番号）も併せて基地局に対して報告される。【００３８】
（３）広帯域ＣＱＩと基地局が構成したサブバンド毎のＣＱＩとの報告
この報告においては、サブバンド毎のＣＱＩは、基地局により構成（指定）される。すなわち、広帯域ＣＱＩと、基地局が構成したサブバンド毎のＣＱＩとが、ユーザ装置から基地局に対して報告される。この場合、サブバンド毎のＣＱＩの数は、例えば、システム帯域のすべてのサブバンドの数であってよい。【００３９】
（４）ＣＱＩ報告のタイミング
上記ＣＱＩの報告のタイミングとしては、周期的な報告と非周期的な報告とがある。周期的な報告においては、ＣＱＩは、ＰＵＣＣＨおよびＰＵＳＣＨのいずれかを使用することが許容される。例えば、ユーザ装置が選択したサブバンド毎のＣＱＩが報告される場合、ユーザ装置は、ＰＵＣＣＨまたはＰＵＳＣＨを使用して、１、または、複数個のＣＱＩ値を基地局に対して周期的に報告（送信）する。非周期的な報告は、基地局からのＣＱＩ報告の要求に応答して、ユーザ装置が基地局に対してＣＱＩを報告する。この場合に使用されるチャネルは、ＰＵＳＣＨに限られる。【００４０】
＜第１の実施形態＞
図１を参照しながら、本発明の第１の実施形態による基地局を説明する。図示のとおり、第１の実施形態による基地局１は、多重・マッピング法判定部１０、ＣＱＩ復調部１２、スケジューラ１４、ユーザ装置速度検出部１６、およびＣＱＩ報告法決定部１８を含む。【００４１】
多重・マッピング法判定部１０は、ユーザ装置２（図２を参照し後述する）から受信した受信信号に対しユーザ装置２において適用された多重方法やマッピング方法を判定する。また、多重・マッピング法判定部１０は、判定した多重方法やマッピング方法に基づいて、受信信号に含まれる受信データ、ＣＱＩ、およびユーザ装置速度情報などをこの受信信号から分離する。ここで、ユーザ装置速度情報は、受信信号を送信した当該ユーザ装置２の移動速度を示す。ユーザ装置速度情報は、ユーザ装置２において所定の方法で測定され、所定の方法で受信信号に多重化されて、基地局に対して送信される。また、多重・マッピング法判定部１０は、受信データを所定の受信データ処理部（図示せず）へ出力し、ＣＱＩをＣＱＩ復調部１２へ出力し、ユーザ装置速度情報をユーザ装置速度検出部１６へ出力する。【００４２】
ＣＱＩ復調部１２は、多重・マッピング法判定部１０からＣＱＩを入力し、ＣＱＩを復調して、復調したＣＱＩをスケジューラ１４へ出力する。【００４３】
スケジューラ１４は、ＣＱＩ復調部１２から復調ＣＱＩを入力し、復調ＣＱＩに基づいて、無線リソースのスケジューリングを行う。【００４４】
ユーザ装置速度検出部１６は、多重・マッピング法判定部１０からユーザ装置速度情報を入力し、この情報に基づき、当該ユーザ装置２の移動速度を検出する。また、ユーザ装置速度検出部１６は、検出した移動速度をＣＱＩ報告法決定部１８へ通知する。【００４５】
ＣＱＩ報告法決定部１８は、ユーザ装置速度検出部１６から通知された移動速度と、所定の基準速度ｖ（ｋｍ／ｈ）とを比較し、移動速度が基準速度ｖより速いか否かを決定する。また、ＣＱＩ報告法決定部１８は、その決定に従って、ユーザ装置２のＣＱＩ報告方法を決定する。例えば、ＣＱＩ報告法決定部１８は、ユーザ装置２の移動速度が基準速度ｖより速いと判定したときは、広帯域ＣＱＩのみをユーザ装置２が報告することを決定してよい。また、ＣＱＩ報告法決定部１８は、ユーザ装置２の移動速度が基準速度ｖ以下と判定したときは、広帯域ＣＱＩと所定数のサブバンド毎のＣＱＩとをユーザ装置２が報告することを決定してよい。【００４６】
さらに、ＣＱＩ報告法決定部１８は、決定したＣＱＩ報告方法をユーザ装置２へ通知する。この通知は、例えば、高レイヤシグナリングにより行われる。【００４７】
次に、図２を参照しながら、第１の実施形態の基地局１とともに使用されるユーザ装置を説明する。図示のとおり、ユーザ装置２は、ＣＱＩ測定部２０、ＣＱＩ報告法制御部２２、移動速度測定部２４、および多重・マッピング法制御部２６を含む。【００４８】
ＣＱＩ測定部２０は、基地局が送信した参照信号に基づき、ＣＱＩとして、例えば平均受信信号電力Ｓ（Signal power）、受信ＳＩＮＲ（Signal-to-Interference plus Noise power Ratio）、受信信号電力対干渉信号電力比ＳＩＲ（Signal-to-Interference power Ratio)を測定する。測定の結果得られるＣＱＩは、広帯域ＣＱＩと、サブバンド毎のＣＱＩとである。また、ＣＱＩ測定部２０は、測定したＣＱＩ値をＣＱＩ報告法制御部２２へ出力する。【００４９】
ＣＱＩ報告法制御部２２は、ＣＱＩ測定部２０からＣＱＩ値を入力するとともに、基地局１から例えば高レイヤシグナリングにより通知されたＣＱＩ報告法に関する情報を入力する。ＣＱＩ報告法制御部２２は、入力したＣＱＩ報告法に基づいて、ＣＱＩ測定部２０から入力したＣＱＩの中から報告すべきＣＱＩ値を選択し、選択したＣＱＩ値を多重・マッピング法制御部２６へ出力する。【００５０】
移動速度測定部２４は、ユーザ装置２の移動速度を測定する。この測定は、例えば、ＧＰＳ（Global Positioning System）信号を利用して行ってよい。また、移動速度測定部２４は、測定したユーザ装置２の移動速度に関する情報を多重・マッピング法制御部２６へ出力する。【００５１】
多重・マッピング法制御部２６は、ＣＱＩ報告法制御部２２からＣＱＩ値を入力し、移動速度測定部２４からユーザ装置２の移動速度に関する情報を入力する。多重・マッピング法制御部２６は、入力したＣＱＩ値と、入力した移動速度に関する情報と、バッファ（図示せず）からのユーザ情報とを多重し、マッピングして送信信号を生成する。送信信号は、所定の処理を経て、基地局１へ送信される。【００５２】
以下、図３を参照しながら、上記の基地局１において実施される、本実施形態によるＣＱＩ報告法決定方法を説明する。ＣＱＩ報告法決定部１８において、先ず、ユーザ装置速度検出部１６から通知された移動速度が基準速度ｖ（ｋｍ／ｈ）より速いか否かが判定される（ステップＳ３０）。通知された移動速度が基準速度ｖより速いと判定されたときは（ステップＳ３０：ＮＯ）、当該ユーザ装置は基地局１に対して広帯域ＣＱＩのみを報告すべきことを決定する（ステップＳ３２）。次に、ＣＱＩ報告法決定部１８から、当該ユーザ装置に宛てて、基地局１に対して広帯域ＣＱＩのみを報告（送信）することが通知される（ステップＳ３４）。【００５３】
一方、通知された移動速度が基準速度ｖ以下と判定されたときは（ステップＳ３０：ＹＥＳ）、当該ユーザ装置は基地局１に対して広帯域ＣＱＩと所定個数のサブバンド毎のＣＱＩとを報告すべきことを決定する（ステップＳ３６）。次に、ＣＱＩ報告法決定部１８から、当該ユーザ装置に宛てて、基地局１に対して広帯域ＣＱＩと所定数のサブバンド毎のＣＱＩとを報告（送信）することが通知される（ステップＳ３４）。【００５４】
なお、基準速度は、例えば、基地局１により形成されるセル又はセクタにおける伝搬環境などに基づいて、適宜設定されて良い。例えば、伝搬環境がよい場合は、基準速度を早く設定してよく、伝搬環境が悪い場合は、基準速度を遅く設定してよい。【００５５】
また、サブバンド毎のＣＱＩの個数は、基地局１とユーザ装置２との間で予め設定してよい。具体的には、広帯域ＣＱＩのビット数と所定個数のサブバンド毎のＣＱＩのビット数との合計が、ＣＱＩの報告のために割り当てられているビット数（例えば１０ビット）を超えない範囲で任意に決定されてよい。さらに、ユーザ装置２で選択したサブバンド毎のＣＱＩであってよいし、基地局１で指定したサブバンド毎のＣＱＩであってもよい。【００５６】
上記のとおり、本発明の第１の実施形態による基地局１およびＣＱＩ報告法決定方法によれば、ユーザ装置の移動速度が基準速度以下の場合は、ユーザ装置は、基地局１に対して、広帯域ＣＱＩに加えて、所定数のサブバンド毎のＣＱＩも併せて報告（送信）することなる。このため、基地局１は、ユーザ装置との間の受信の品質についてのより詳しい情報を入手することができる。したがって、この詳しい情報に基づいて好適なスケジューリングを行うことが可能となる。【００５７】
一方、ユーザ装置の移動速度が基準速度より速い場合には、ユーザ装置は、広帯域ＣＱＩのみを基地局１に対して報告（送信）することとなる。ユーザ装置の移動速度が速い場合には、基地局１とユーザ装置との間の受信品質もまた急激に変化し、特に各サブバンドにおけるＣＱＩの変化は激しい。このような状況の下で、仮に基地局１がサブバンド毎のＣＱＩも利用してスケジューリングを行った場合、そのスケジューリングに従ってユーザ装置がデータ送信をしたときには、既に受信品質が変化してしまい、その時点における好適なスケジューリングとは程遠い事態ともなることがある。広帯域ＣＱＩは、上述のとおり、システム帯域内で所定の周波数間隔で取得した複数個のＣＱＩ値の平均値であるため、各サブバンドにおける激しく変化するＣＱＩよりも、現実の受信品質をむしろ正しく示すことができる。したがって、ユーザ装置が基準速度よりも速い速度で移動しているときには、基地局１が広帯域ＣＱＩのみに従ってスケジューリングをすることによって、好ましいスケジューリングが可能となる。【００５８】
＜第２の実施形態＞
次に、図４を参照しながら、本発明の第２の実施形態による基地局を説明する。図示のとおり、第２の実施形態による基地局４は、多重・マッピング法判定部４０、ＣＱＩ復調部１２、スケジューラ１４、ユーザ装置速度検出部１６、ＣＱＩ報告法決定部４８、およびユーザ装置数検出部４２を有する。ここで、ＣＱＩ復調部１２、スケジューラ１４、およびユーザ装置速度検出部１６は、先に説明したとおりの構成／機能を有しているため、これらに関する重複する説明を省略する。【００５９】
多重・マッピング法判定部４０は、ユーザ装置２（図２）から受信した受信信号に対しユーザ装置２において適用された多重方法やマッピング方法を判定する。また、多重・マッピング法判定部４０は、判定した多重方法やマッピング方法に基づいて、受信信号に含まれる受信データ、ＣＱＩ、およびユーザ装置速度情報などをこの受信信号から分離する。また、多重・マッピング法判定部４０は、基地局４により形成されるセル又はセクタに存在する通信可能な複数のユーザ装置に対応した複数の受信信号に基づいて、そのユーザ装置の個数を表すユーザ装置数情報を生成する。さらに、多重・マッピング法判定部４０は、受信データを所定の受信データ処理部（図示せず）へ出力し、ＣＱＩをＣＱＩ復調部１２へ出力し、ユーザ装置速度情報をユーザ装置速度検出部１６へ出力することに加えて、ユーザ装置数情報をユーザ装置数検出部４２へ出力する。【００６０】
ユーザ装置数検出部４２は、多重・マッピング法判定部４０からユーザ装置数情報を入力し、これに基づいて、ユーザ装置数を検出する。また、ユーザ装置数検出部４０は、検出したユーザ装置数をＣＱＩ報告法決定部４８へ通知する。【００６１】
ＣＱＩ報告法決定部４８は、ユーザ装置速度検出部１６から通知された移動速度と、所定の基準速度ｖ（ｋｍ／ｈ）とを比較し、移動速度が基準速度ｖより速いか否かを決定する。また、ＣＱＩ報告法決定部４８は、移動速度が基準速度ｖ以下であると判定した場合、ユーザ装置数検出部４２から通知されたユーザ装置数と所定の第１の基準数Ｎ１とを比較し、ユーザ装置数が第１の基準数Ｎ１より大きいか否かを決定する。ＣＱＩ報告法決定部１８は、決定に応じて、ユーザ装置２のＣＱＩ報告方法を決定する。【００６２】
例えば、ＣＱＩ報告法決定部４８は、ユーザ装置２の移動速度が基準速度ｖより速いと判定した場合、ユーザ装置２が広帯域ＣＱＩのみを報告（送信）すべきことを決定することができる。また、ＣＱＩ報告法決定部４８は、ユーザ装置２の移動速度が基準速度ｖ以下と判定した場合、広帯域ＣＱＩと所定数のサブバンド毎のＣＱＩとをユーザ装置２が報告（送信）すべきことを決定することができる。【００６３】
さらに、ＣＱＩ報告法決定部４８は、ユーザ装置２の移動速度が基準速度ｖ以下の場合であって、ユーザ装置数が第１の基準数Ｎ１以下のときは、広帯域ＣＱＩ、および基地局４が構成（指定）したサブバンド毎のＣＱＩ値をユーザ装置２が報告すべきことを決定することができる。ここで、基地局４が指定したサブバンドのＣＱＩ値とは、好ましくは、すべてのサブバンドそれぞれのＣＱＩ値であるが、これに限定されず、１から最大サブバンド数まで範囲のいずれの個数のサブバンドのＣＱＩ値であってよい。【００６４】
さらにまた、ＣＱＩ報告法決定部４８は、ユーザ装置２の移動速度が基準速度ｖ以下の場合であって、ユーザ装置数が第１の基準数Ｎ１より大きいときは、広帯域ＣＱＩ、ユーザ装置２が選択したＭ個のサブバンドのＣＱＩ、またはＭ個のサブバンドの平均のＣＱＩ（Best-M average subbands CQI）、およびＭ個のサブバンドのＩＤ情報をユーザ装置２が報告すべきことを決定することができる。【００６５】
また、ＣＱＩ報告法決定部４８は、ユーザ装置２の移動速度が基準速度ｖ以下の場合であって、ユーザ装置数が第１の基準数Ｎ１より大きいときに、ユーザ装置数検出部４２から通知されたユーザ装置数と第２の基準数Ｎ２とを比較し、ユーザ装置数が第２の基準数Ｎ２より大きいか否かを決定してもよい。ユーザ装置数が第２の基準数Ｎ２より大きい場合、ＣＱＩ報告法決定部４８は、ユーザ装置２が広帯域ＣＱＩのみを報告すべきことを決定することができる。【００６６】
また、ＣＱＩ報告法決定部１８は、決定したＣＱＩ報告方法をユーザ装置２へ通知する。この通知は、例えば、高レイヤシグナリングにより行われる。【００６７】
次に、第２の実施形態による基地局４とともに使用されるユーザ装置について説明する。このユーザ装置は、先に説明したユーザ装置２（図２）であってよいが、基地局の構成の相違に基づき、追加の機能を有する。以下、その相違点を中心に説明する。【００６８】
ユーザ装置２のＣＱＩ報告法制御部２２（図２）は、基地局４から通知されたＣＱＩ報告法が広帯域ＣＱＩ、Best-M average subbands CQI値、およびサブバンドのＩＤ情報であった場合、この通知に従って、ＣＱＩ測定部２０から入力した複数のＣＱＩ値から、広帯域ＣＱＩと、Best-M average subbands CQIとを選択し、Best-M average subbands CQIに対応するＭ個のサブバンドのＩＤ情報を生成する。また、ＣＱＩ報告法制御部２２は、基地局４からの通知されたＣＱＩ報告法が広帯域ＣＱＩと基地局が構成したサブバンド毎のＣＱＩであった場合、その通知に従って、ＣＱＩ測定部２０から入力した複数のＣＱＩ値から、広帯域ＣＱＩと基地局が構成したサブバンド毎のＣＱＩとを選択する。さらに、ＣＱＩ報告法制御部２２は、これらのＣＱＩ値（Ｍ＋１個）と、ＩＤ情報とを多重・マッピング法制御部２６へ出力する。【００６９】
以下、図５を参照しながら、上記の基地局４において実施される本実施形態によるＣＱＩ報告法決定方法を説明する。ＣＱＩ報告法決定部４８において、先ず、ユーザ装置速度検出部１６から通知された移動速度が基準速度ｖ（ｋｍ／ｈ）より速いか否かが判定される（ステップＳ５０）。通知された移動速度が基準速度ｖより速いと判定されたときは（ステップＳ５０：ＮＯ）、当該ユーザ装置が基地局１に対して広帯域ＣＱＩのみを報告すべきことが決定される（ステップＳ５１）。次に、ＣＱＩ報告法決定部４８から、当該ユーザ装置に宛てて、基地局１に対して広帯域ＣＱＩのみを報告（送信）することが通知される（ステップＳ５２）。【００７０】
一方、通知された移動速度が基準速度ｖ以下と判定されたときは（ステップＳ５０：ＹＥＳ）、当該ユーザ装置は基地局１に対して広帯域ＣＱＩと所定個数のサブバンド毎のＣＱＩとを報告すべきことを決定する（ステップＳ５３）。次に、ＣＱＩ報告法決定部４８において、セル又はセクタに存在する通信可能なユーザ装置の数が第１の基準値Ｎ１より大きいか否かが判定される（ステップＳ５４）。【００７１】
ユーザ装置数が第１の基準値Ｎ１以下と判定された場合（ステップＳ５４：ＹＥＳ）、広帯域ＣＱＩと、基地局４が構成（指定）したサブバンドのＣＱＩ（Best-M subbands CQI）値とをユーザ装置２が報告すべきことが決定される（ステップＳ５５）。そして、ステップＳ５２において、例えば高レイヤシグナリングにより、その旨がユーザ装置２へ通知される。【００７２】
対照的に、ユーザ装置数が第１の基準値Ｎ１より大きいと判定された場合（ステップＳ５４：ＮＯ）は、ＣＱＩ報告法決定部４８において、さらに、ユーザ装置の数が第２の基準値Ｎ２より大きいか否かが判定される（ステップＳ５６）。ユーザ装置数が第２の基準値Ｎ２以下と判定された場合（ステップＳ５６：ＹＥＳ）は、広帯域ＣＱＩと、ユーザ装置２が選択したＭ個のサブバンドのＣＱＩ、またはＭ個のサブバンドの平均のＣＱＩ（Best-M average subbands CQI）値と、Ｍ個のＣＱＩ値に対応したサブバンドのＩＤ情報とをユーザ装置２が報告すべきことが決定される（ステップＳ５７）。そして、その旨がユーザ装置２へ通知される（ステップＳ５２）。【００７３】
一方、ユーザ装置数が第２の基準値Ｎ２より大きいと判定された場合（ステップＳ５６：ＮＯ）は、広帯域ＣＱＩのみをユーザ装置２が報告すべきことが決定される（ステップＳ５８）。そして、その旨がユーザ装置２へ通知される（ステップＳ５２）。【００７４】
上記のとおり、本発明の第２の実施形態による基地局４およびＣＱＩ報告法決定方法によれば、ユーザ装置の移動速度に基づいてＣＱＩ報告法を決定することに加えて、セル又はセクタ内のユーザ装置数に基づいてＣＱＩ報告法が決定される。【００７５】
ユーザ装置数が多い場合に、広帯域ＣＱＩだけでなくサブバンド毎のＣＱＩをも報告するとすれば、基地局において処理すべき情報量が過剰となり、処理時間が長くなるなどの弊害が生じ得る。しかし、本発明の第２の実施形態による基地局４およびＣＱＩ報告法決定方法によれば、セル又はセクタ内のユーザ装置数に応じて、最適なやり方でＣＱＩの報告が実現されるため、そのような弊害を防止することができる。【００７６】
一方、ユーザ装置の移動速度が低い場合であって、セル又はセクタ内のユーザ装置数が少ないときは、基地局４は、ユーザ装置２に対し、広帯域ＣＱＩと基地局４が構成（指定）したサブバンドのＣＱＩ値とを報告するよう要求することができる。基地局４が構成したＣＱＩ値は、例えば、システム帯域のすべてのサブバンド毎のＣＱＩ値であってよい。したがって、基地局４は、システム帯域の全体のチャネル品質を示す広帯域ＣＱＩに加えて、すべてのサブバンドにおけるチャネル品質をも把握することができ、よって、これらに基づいて最適なスケジューリングを行うことができる。【００７７】
また、ユーザ装置の移動速度が低い場合であって、セル又はセクタ内のユーザ装置数が中程度のときは、基地局４は、ユーザ装置２に対し、広帯域ＣＱＩと、ユーザ装置２が選択したＭ個のサブバンドのＣＱＩ、またはＭ個のサブバンドの平均のＣＱＩ（Best-M average subbands CQI）値と、Ｍ個のサブバンドのＩＤとを報告するよう要求することができる。したがって、基地局４は、広帯域ＣＱＩだけでなく、Ｍ個のサブバンドのＣＱＩ、またはＭ個のサブバンドの平均のＣＱＩをも参照して、この無線環境に適したスケジューリングを行うことができる。【００７８】
なお、第２の実施形態によるＣＱＩ報告法決定方法においては、決定されたＣＱＩ報告法は、セル又はセクタに存在する全てのユーザ装置に対して通知してよい。例えば、ユーザ装置数が第２の基準値Ｎ２より大きいと判定された場合、セル又はセクタ内のすべてのユーザ装置に対して（すなわち、セル（セクタ）固有なやり方で）、広帯域ＣＱＩのみを報告するように高レイヤシグナリングにより通知してよい。これによれば、ユーザ装置数が多い場合に広帯域ＣＱＩのみを報告すれば済むようになり、上記の弊害を確実に防止できる。【００７９】
また、ＣＱＩ報告法決定部４８において、ユーザ装置数が多い（例えば、ユーザ装置数が第２の基準数Ｎ２より多い）と判定された場合は、基準速度ｖを低く設定してもよい。これによれば、ユーザ装置数が多い場合には、ユーザ装置の移動速度がそれほど早くなくても、ユーザ装置からは広帯域ＣＱＩのみが報告されることとなる。すなわち、上述のステップＳ５４の判定をすることなく、広帯域ＣＱＩのみの報告が採用されることとなるため、ＣＱＩ報告法決定部４８の処理負担を低減することができる。【００８０】
＜第３の実施形態＞
次に、図６を参照しながら、本発明の第３の実施形態による基地局を説明する。図示のとおり、第３の実施形態による基地局６は、多重・マッピング法判定部１０、ＣＱＩ復調部６２、スケジューラ１４、ユーザ装置速度検出部１６、ＣＱＩ報告法決定部６８、および受信品質情報判定部６４を有する。ここで、多重・マッピング法判定部１０、スケジューラ１４、およびユーザ装置速度検出部１６は、先に説明したとおりの構成／機能を有しているため、これらに関する重複する説明を省略する。【００８１】
ＣＱＩ復調部６２は、多重・マッピング法判定部１０から、分離されデマッピングされたＣＱＩを入力し、入力した分離・デマッピングされたＣＱＩを復調し、復調したＣＱＩをスケジューラ１４および受信品質情報判定部６４へ出力する。【００８２】
受信品質情報判定部６４は、ＣＱＩ復調部６２から入力したＣＱＩから、広帯域ＣＱＩ値（好ましくは、上りリンク平均受信電力Ｓ又は平均受信ＳＩＮＲ）を抽出し、広帯域ＣＱＩ値をＣＱＩ報告法決定部６８へ出力する。【００８３】
ＣＱＩ報告法決定部６８は、ユーザ装置速度検出部１６から通知された移動速度と、所定の基準速度ｖ（ｋｍ／ｈ）とを比較し、移動速度が基準速度ｖより速いか否かを決定する。また、ＣＱＩ報告法決定部６８は、移動速度が基準速度ｖ以下であると判定した場合、受信品質情報判定部６４から通知された広帯域ＣＱＩ値と所定の第１の基準品質値Ｓ１とを比較し、広帯域ＣＱＩ値が第１の基準品質値Ｓ１より大きいか否かを決定する。ＣＱＩ報告法決定部６８は、決定に応じて、ユーザ装置２のＣＱＩ報告方法を決定する。【００８４】
例えば、ＣＱＩ報告法決定部６８は、ユーザ装置２の移動速度が基準速度ｖより速いと判定した場合、ユーザ装置２が広帯域ＣＱＩのみを報告（送信）すべきことを決定することができる。また、ＣＱＩ報告法決定部６８は、ユーザ装置２の移動速度が基準速度ｖ以下の場合、広帯域ＣＱＩと、所定個数のサブバンド毎のＣＱＩと、およびそれらのサブバンドのＩＤ情報とをユーザ装置２が報告すべきことを決定することができる。【００８５】
また、ＣＱＩ報告法決定部６８は、ユーザ装置２の移動速度が基準速度ｖ以下の場合であって、受信品質情報判定部６４から通知された広帯域ＣＱＩ値が第１の基準品質値Ｓ１以上のときは、広帯域ＣＱＩと基地局４が構成（指定）したサブバンドのＣＱＩとをユーザ装置２が報告すべきことを決定することができる。ここで、基地局４が指定したサブバンドのＣＱＩ値とは、好ましくは、すべてのサブバンドそれぞれのＣＱＩ値であるが、これに限定されず、１から最大サブバンド数まで範囲のいずれの個数のサブバンドのＣＱＩ値であってよい。【００８６】
さらに、ＣＱＩ報告法決定部６８は、ユーザ装置２の移動速度が基準速度ｖ以下の場合であって、受信品質情報判定部６４から通知された広帯域ＣＱＩ値が第１の基準品質値Ｓ１より小さいときは、広帯域ＣＱＩと、ユーザ装置が選択したサブバンド毎のＣＱＩと、これらのＣＱＩに対応したサブバンドのＩＤ情報とをユーザ装置２が報告すべきことを決定することができる。【００８７】
さらに、ＣＱＩ報告法決定部６８は、ユーザ装置２の移動速度が基準速度ｖ以下の場合であって、受信品質情報判定部６４から通知された広帯域ＣＱＩ値が第１の基準品質値Ｓ１より小さいときに、その広帯域ＣＱＩ値と第２の基準品質値Ｓ２とを比較し、広帯域ＣＱＩ値が第２の基準品質値Ｓ２より大きいか否かを判定してもよい。受信品質情報判定部６４から通知された広帯域ＣＱＩ値が第２の基準品質値Ｓ２より小さい場合、ＣＱＩ報告法決定部６８は、ユーザ装置２が広帯域ＣＱＩのみを報告すべきことを決定することができる。【００８８】
また、ＣＱＩ報告法決定部６８は、決定したＣＱＩ報告方法をユーザ装置２へ通知する。 
以下、図７を参照しながら、上記の基地局６において実施される本実施形態によるＣＱＩ報告法決定方法を説明する。なお、基地局６と通信を行うユーザ装置は、本発明の第２の実施形態によるユーザ装置２であってよく、以下の説明でも、基地局６とユーザ装置２との間で通信が行われることとする。【００８９】
ＣＱＩ報告法決定部６８において、先ず、ユーザ装置速度検出部１６から通知された移動速度が基準速度ｖ（ｋｍ／ｈ）より速いか否かが判定される（ステップＳ７０）。通知された移動速度が基準速度ｖより速いと判定されたときは（ステップＳ７０：ＮＯ）、当該ユーザ装置が広帯域ＣＱＩのみを報告すべきことが決定される（ステップＳ７１）。次に、ＣＱＩ報告法決定部６８から、当該ユーザ装置に宛てて、基地局１に対して広帯域ＣＱＩのみを報告（送信）することが通知される（ステップＳ７２）。【００９０】
一方、通知された移動速度が基準速度ｖ以下と判定されたときは（ステップＳ７０：ＹＥＳ）、当該ユーザ装置が広帯域ＣＱＩと所定個数のサブバンド毎のＣＱＩとを報告すべきことが決定される（ステップＳ７３）。次に、ＣＱＩ報告法決定部６８において、ユーザ装置２からの受信信号に含まれていた広帯域ＣＱＩが所定の第１の基準品質値Ｓ１より大きいか否かが判定される（ステップＳ７４）。【００９１】
広帯域ＣＱＩが第１の基準品質値Ｓ１以上と判定された場合（ステップＳ７４：ＹＥＳ）、広帯域ＣＱＩと、基地局４が構成（指定）したサブバンドのＣＱＩとをユーザ装置２が報告すべきことが決定される（ステップＳ７５）。そして、ステップＳ７２において、例えば高レイヤシグナリングにより、その旨がユーザ装置２へ通知される（ステップＳ７２）。【００９２】
広帯域ＣＱＩが第１の基準品質値Ｓ１より小さいと判定された場合（ステップＳ７４：ＮＯ）は、ＣＱＩ報告法決定部６８において、さらに、広帯域ＣＱＩが第２の基準品質値Ｓ２より大きいか否かが判定される（ステップＳ７６）。広帯域ＣＱＩが第２の基準品質値Ｓ２以上と判定された場合（ステップＳ７６：ＹＥＳ）は、ユーザ装置２が、広帯域ＣＱＩと、選択したＭ個のサブバンドのＣＱＩまたはＭ個のサブバンドの平均のＣＱＩ（Best-M average subbands CQI）と、Ｍ個のサブバンドのＩＤ情報とをユーザ装置２が報告すべきことが決定される（ステップＳ７７）。そして、その旨がユーザ装置２へ通知される（ステップＳ７２）。【００９３】
一方、広帯域ＣＱＩが第２の基準値Ｎ２より小さいと判定された場合（ステップＳ７６：ＮＯ）は、広帯域ＣＱＩのみをユーザ装置２が報告すべきことが決定される（ステップＳ７８）。そして、その旨がユーザ装置２へ通知される（ステップＳ７２）。【００９４】
上記のとおり、本発明の第３の実施形態による基地局６、ユーザ装置２、およびＣＱＩ報告法決定方法によれば、ユーザ装置の移動速度に加えて、ユーザ装置が報告した広帯域ＣＱＩに基づいて、（その後の）ＣＱＩ報告法が決定される。ユーザ装置の移動速度が遅い場合には、基地局とユーザ装置との間の受信品質はそれほど激しくは変化しないため、広帯域ＣＱＩに加えて、サブバンド毎のＣＱＩがユーザ装置から基地局へ報告され、双方に基づいたスケジューリングが行われることが好ましい。しかし、ユーザ装置の移動速度による受信品質の変化とは別に、基地局とユーザ装置との間の受信品質が悪い場合には、そのユーザ装置にサブバンド毎のＣＱＩの報告を要求しても、適切な通信を行えない場合がある。本発明の第３の実施形態によれば、受信品質のよいユーザ装置に対しては、広帯域ＣＱＩに加えて、例えばＭ個のサブバンド毎のＣＱＩ、またはＭ個のサブバンドの平均のＣＱＩ（およびそのサブバンドのＩＤ情報）を報告させて、１、または複数個のＣＱＩに基づいてスケジューリングを行うことによって好適な（高情報量、高データレートな）通信を実現し、受信品質の悪いユーザ装置に対しては、広帯域ＣＱＩのみを報告させることができる。さらに、受信品質が更に良いユーザ装置に対しては、広帯域ＣＱＩに加えて、基地局が構成したサブバンド毎のＣＱＩを報告させることにより、そのユーザ装置についてはより好適な通信を実現することができる。【００９５】
＜第４の実施形態＞
続けて、本発明の第４の実施形態による基地局、およびこの基地局において使用されるＣＱＩ報告法決定方法を説明する。第４の実施形態のＣＱＩ報告法決定方法は、ＣＱＩ報告のタイミングと、ＣＱＩの報告に使用されるチャネルとを決定する。この方法は、上記の第１から第３の実施形態によるＣＱＩ報告法決定方法のいずれかとともに使用されてよい。以下の説明では、広帯域ＣＱＩ、ユーザ装置が選択したＭ個のサブバンド毎のＣＱＩ、またはＭ個のサブバンドの平均のＣＱＩ（Best-M average subbands CQI）、および基地局が構成したサブバンド毎のＣＱＩを区別することなく、単に、ＣＱＩと記すが、このＣＱＩは、第１から第３の実施形態によるＣＱＩ報告法決定方法のいずれかにより決定されたものであってよい。【００９６】
図８は、本発明の第４の実施形態による基地局の構成を示す概略ブロック図である。図示のとおり、第４の実施形態による基地局８は、多重・マッピング法判定部１０、ＣＱＩ復調部１２、スケジューラ１４、ＣＱＩ報告法決定部１８および情報判定部７６を含む。ここで、多重・マッピング法判定部１０、ＣＱＩ復調部１２、およびスケジューラ１４は、先に説明したとおりの構成／機能を有しているため、これらに関する重複する説明を省略する。【００９７】
情報判定部７６は、要求品質情報判定部、ＰＵＣＣＨ多重数判定部、上りリンクのリソースブロック（ＲＢ）利用率判定部、および上りリンク広帯域ＣＱＩ判定部のいずれか、またはこれらの組み合わせであってよい。【００９８】
まず、要求品質情報判定部としての情報判定部７６について説明する（適宜、要求品質情報判定部７６と記す）。要求品質情報判定部７６は、多重・マッピング法判定部１０から、受信信号を分離することにより得られた要求品質情報を入力し、入力した要求品質情報に基づいて、要求品質が所定基準値以下か否かを判定する。要求品質は、これらに限定されないが、例えば、遅延、誤り率、データレートであってよいし、または、通話の緊急度、通信サービス提供者とユーザとの間の契約内容などであってもよい。また、要求品質情報判定部７６は、判定の結果をＣＱＩ報告法決定部１８に通知する。なお、要求品質情報判定部７６は、多重・マッピング法判定部１０からユーザ装置のＩＤ情報を取得して、ＩＤ情報に基づいて、通信システムに設けられるユーザ装置情報格納部を参照することにより、要求品質を取得してもよい。【００９９】
次に、ＰＵＣＣＨ多重数判定部としての情報判定部７６について説明する（適宜、多重数判定部７６と記す）。多重数判定部７６は、上りリンクＰＵＣＣＨに多重されるユーザ装置の数が、所定の基準数以下か否かを判定する。また、多重数判定部７６は、判定の結果をＣＱＩ報告法決定部１８に通知する。【０１００】
さらに、上りリンクのＲＢ利用率判定部としての情報判定部７６について説明する（適宜、ＲＢ利用率判定部７６と記す）。ＲＢ利用率判定部７６は、下りのスケジューリングでリソースブロックが割り当てられたユーザ装置について、上りリンクの使用ＲＢ数が、許容される全体のＲＢ数のＸ％以下か否かを判定する。また、ＲＢ利用率判定部７６は、判定の結果をＣＱＩ報告法決定部１８に通知する。【０１０１】
上りリンク広帯域ＣＱＩ判定部としての情報判定部７６（適宜、広帯域ＣＱＩ判定部７６と記す）は、下りのスケジューリングでリソースブロックが割り当てられたユーザ装置からの上りリンクの受信品質を多重・マッピング法判定部１０から入力する。この受信品質は、例えば、上りリンク平均受信電力Ｓ又は平均受信ＳＩＮＲであってよい。また、ＣＱＩ判定部７６は、入力した受信品質が所定の基準品質値以下か否かを判定する。さらに、ＣＱＩ判定部７６は、判定の結果をＣＱＩ報告法決定部１８に通知する。【０１０２】
ＣＱＩ報告法決定部１８は、情報判定部７６から通知された判定結果に基づいて、ユーザ装置２（図２）からのＣＱＩ報告のタイミングと、報告に使用するチャネルとを決定する。【０１０３】
例えば、ＣＱＩ報告法決定部１８は、通常は、ユーザ装置２が周期的にＰＵＣＣＨを優先的に使用してＣＱＩを報告すべきことを決定することができる。そして、ＣＱＩ報告法決定部１８は、情報判定部（要求品質情報判定部）７６から通知された判定結果に基づいて要求品質が高いと判定した場合は、ユーザ装置２が周期的に（ＰＵＣＣＨでなく）ＰＵＳＣＨを使用してＣＱＩを報告すべきことを決定することができる。また、ＣＱＩ報告法決定部１８は、情報判定部（要求品質情報判定部）７６から通知された判定結果に基づいて要求品質が低いと判定した場合であっても、情報判定部（多重数判定部）７６から通知された判定結果に基づいて多重数が多いと判定した場合は、ユーザ装置２が周期的に（ＰＵＣＣＨでなく）ＰＵＳＣＨを使用してＣＱＩを報告すべきことを決定することができる。この場合、情報判定部７６は、要求品質情報判定部と多重数判定部との組み合わせである。【０１０４】
さらに、ＣＱＩ報告法決定部１８は、要求品質が低く、かつ、多重数が少ないと判定した場合であっても、情報判定部（ＲＢ利用率判定部）７６から通知された判定結果に基づいてＲＢ利用率が低いと判定した場合は、ユーザ装置２に対してＰＵＳＣＨを使用してＣＱＩを報告すべきことを要求してよい。この要求を受けたユーザ装置２は、周期的なＰＵＣＣＨや周期的なＰＵＳＣＨとは、別個に（すなわち、非周期的に）ＰＵＳＣＨを使用してＣＱＩを報告する。【０１０５】
また、ＣＱＩ報告法決定部１８は、要求品質が低く、かつ、多重数が少ないと判定した場合であっても、情報判定部（ＣＱＩ判定部）７６から通知された判定結果に基づいてＣＱＩが低いと判定した場合は、ユーザ装置２に対してＰＵＳＣＨを使用してＣＱＩを報告すべきことを要求してよい。この要求を受けたユーザ装置２は、周期的なＰＵＣＣＨや周期的なＰＵＳＣＨとは、別個に（すなわち、非周期的に）ＰＵＳＣＨを使用してＣＱＩを報告する。【０１０６】
以下、図９を参照しながら、本発明の第４の実施形態によるＣＱＩ報告タイミングの決定方法について説明する。この方法においては、情報判定部７６は、要求品質情報判定部、多重数判定部、およびＲＢ利用率判定部の組み合わせであって、これらの部の機能を有している。なお、基地局８と通信を行うユーザ装置は、本発明の第２の実施形態によるユーザ装置２であってよく、以下の説明でも、基地局８とユーザ装置２との間で通信が行われることとする。【０１０７】
先ず、情報判定部７６において、ユーザ装置（ユーザ）の要求品質が所定の基準以下か否かが判定される（ステップＳ８０）。判定の結果、基準以下と判定された場合（ステップＳ８０：ＹＥＳ）、ＣＱＩ報告法決定部１８において、ユーザ装置２がＰＵＣＣＨを使用して周期的にＣＱＩを報告すべきことが決定される（ステップＳ８３）。また、判定の結果、基準より高いと判定された場合は（ステップＳ８０：ＮＯ）、ユーザ装置２がＰＵＳＣＨを使用して周期的にＣＱＩを報告すべきことが決定され（ステップＳ８１）、その旨がユーザ装置２に対して通知される（ステップＳ８２）。ステップＳ８２の通知は、例えば、高レイヤシグナリングにより行われる。【０１０８】
周期的なＰＵＣＣＨによってＣＱＩが報告されるべきと決定された場合（ステップＳ８３）、情報判定部７６において、上りリンクＰＵＣＣＨに多重されるユーザ装置の数が、所定の基準数以下か否かが更に判定される（ステップＳ８４）。ユーザ装置数が基準数以下と判定された場合は（ステップＳ８４のＹＥＳ）、ステップＳ８３における決定がそのまま維持され（ステップＳ８５）、ユーザ装置２は、ＰＵＳＣＨを使用して周期的にＣＱＩを報告する。一方、ユーザ装置数が基準数より多いと判定された場合は（ステップＳ８４のＮＯ）、ユーザ装置２がＰＵＳＣＨを使用して周期的にＣＱＩを報告すべきことが決定され（ステップＳ８１）、その旨がユーザ装置２に対して通知される（ステップＳ８２）。【０１０９】
周期的なＰＵＣＣＨによってＣＱＩが報告されるべきとの決定が維持された場合（ステップＳ８５）、情報判定部７６において、上りリンクのＲＢ利用率が所定の率Ｘ％以下か否かが更に判断される（ステップＳ８６）。ＲＢ利用率が所定の率Ｘ％以下と判定された場合（ステップＳ８６：ＹＥＳ）、ＣＱＩ報告法決定部１８において、ユーザ装置２がＰＵＳＣＨを使用して非周期的にＣＱＩを報告するよう要求することが決定され（ステップＳ８７）、その要求がユーザ装置２に対して為される（ステップＳ８２）。ユーザ装置は、この要求に応答して、すなわち、周期的なＣＱＩ報告とは別にＣＱＩを報告する。【０１１０】
一方、ＲＢ利用率がＸ％より大きいと判定された場合は（ステップＳ８６：ＮＯ）、ＰＵＣＣＨを利用した周期的なＣＱＩの報告が維持され（ステップＳ８８）、その旨がユーザ装置２に通知される（ステップＳ８２）。【０１１１】
本発明の第４の実施形態による基地局８およびユーザ装置２、並びにこれらの間で使用されるＣＱＩの報告タイミング決定方法によれば、先ず、要求品質の高いユーザ装置２（ユーザ）に対しては、ＰＵＳＣＨを使用した周期的なＣＱＩの報告が許容される。したがって、例えば、あるユーザ装置が動画などの多量のデータの送信を求める場合に、そのユーザ装置に対してＰＵＳＣＨを周期的に使用したＣＱＩ報告を許容することにより、そのような多量のデータを確実に送信することが可能となる。また、要求品質が高くない場合においても、例えば、多重数が増大しＰＵＣＣＨの容量を超えそうになったときには、ＰＵＳＣＨの使用を許容することにより、スムースな通信を維持することが可能となる。さらに、ＰＵＣＣＨを周期的に使用したＣＱＩの報告が決定された場合であっても、リソースブロックの利用率が低い場合には、空いているリソースブロックを利用しての非周期的なＣＱＩの報告が可能となるので、確実な通信が可能となる。【０１１２】
以上、幾つかの実施形態を参照しながら本発明を説明したが、本発明は上述の実施形態に限定されることなく、種々の変更が可能である。また、説明の便宜上、本発明が幾つかの実施形態で説明されてきたが、各実施形態の区分けは本発明に本質的ではなく、１以上の実施形態を組み合わせてもよい。【０１１３】
例えば、上述の第２の実施形態と第３の実施形態を組み合わせてよい。すなわち、セル又はセクタ内のユーザ数と各ユーザ装置の広帯域ＣＱＩ（上りリンク平均受信電力、平均受信ＳＩＮＲ）との両方によって、広帯域ＣＱＩとユーザ装置が選択したＭ個のサブバンド毎のＣＱＩ（またはＭ個のサブバンドの平均のＣＱＩ）との組み合わせか、Ｍ個のサブバンドの平均のＣＱＩと基地局が構成したサブバンド毎のＣＱＩとの組み合わせか、のいずれを報告すべきかが決定されて良い。【０１１４】
例えば、ユーザ装置の移動速度に拠らず、基地局とユーザ装置との間で広帯域ＣＱＩと所定の数のサブバンド毎のＣＱＩとを報告することが取り決められていた場合には、セル（若しくはセクタ）内の通信可能なユーザ装置の数、かつ／または広帯域ＣＱＩ（上りリンク平均受信ＳＩＮＲ、平均受信電力Ｓ）に基づいて、広帯域ＣＱＩと、ユーザ装置が選択したＭ個のサブバンドＣＱＩ（またはＭ個のサブバンドの平均のＣＱＩ）との組み合わせか、広帯域ＣＱＩと、基地局が構成したサブバンドのＣＱＩとの組み合わせか、のいずれを報告すべきかが決定されて良い。さらに、この場合において、サブバンド毎のＣＱＩの報告を取り止め、ユーザ装置が広帯域ＣＱＩのみを報告すべきことが決定されても良い。また、この場合、ユーザ装置は移動速度測定部を有する必要はない。【０１１５】
また、ユーザ装置の移動速度に基づいて、広帯域ＣＱＩのみ、広帯域ＣＱＩとユーザ装置が選択したＭ個のサブバンド毎のＣＱＩ（若しくはＭ個のサブバンドの平均のＣＱＩ（とそのＩＤ情報））との組み合わせ、または、広帯域ＣＱＩと基地局が構成したサブバンド毎のＣＱＩとの組み合わせ、のいずれかが決定されてもよい。【０１１６】
さらに、セル（またはセクタ）内のユーザ装置に基づいて、広帯域ＣＱＩのみ、広帯域ＣＱＩとユーザ装置が選択したＭ個のサブバンド毎のＣＱＩ（またはＭ個のサブバンドの平均のＣＱＩ（とそのＩＤ情報））との組み合わせ、または、広帯域ＣＱＩと基地局が構成したサブバンド毎のＣＱＩとの組み合わせ、のいずれかが決定されてもよい。【０１１７】
また、第４の実施形態によるＣＱＩの報告タイミング決定法においては、要求品質の判定（ステップＳ８０）と、多重数の判定（ステップＳ８４）と、ＲＢ利用率の判定（ステップＳ８６）とが行われたが、これらのステップの順番は、上述のとおりに限られず、例えば、多重数が始めに判定されてもよい。また、これらのステップのうちの少なくとも一つのステップのみが行われるようにしてもよい。【０１１８】
また、ＰＵＣＣＨを使用して周期的なＣＱＩの報告を行っている場合に（要求品質基準以下、かつ／又は、多重数が所定数以下）、ユーザ装置２からの広帯域ＣＱＩ（上りリンク平均受信電力Ｓ、平均受信ＳＩＮＲ）が、所定の基準品質（ｄＢ）以下か否かが判定され、広帯域ＣＱＩが基準品質以下のときは、ＰＵＳＣＨを利用した非周期的な報告を許容してもよい。すなわち、図９におけるステップＳ８６の代わりに、ユーザ装置２からの広帯域ＣＱＩ（上りリンク平均受信電力Ｓ、平均受信ＳＩＮＲ）が所定の基準品質（ｄＢ）以下か否かを判定し、広帯域ＣＱＩが基準品質以下（ＹＥＳ）の場合にＰＵＳＣＨを利用した非周期的な報告を許容するステップを設けてよい。また、これは、図８の基地局８に、図６に示す受信品質情報判定部６４を付加すれば可能となる。すなわち、受信品質情報判定部６４が、ＣＱＩ復調部１２から入力したＣＱＩから、広帯域ＣＱＩ値（好ましくは、上りリンク平均受信電力Ｓ又は平均受信ＳＩＮＲ）を抽出して、抽出した広帯域ＣＱＩ値をＣＱＩ報告法決定部１８へ出力し、ＣＱＩ報告法決定部１８が、このＣＱＩ値が所定の基準値以上か否かを判断するようにしてよい。【０１１９】
また、第４の実施形態において情報判定部７６は、要求品質情報判定部、多重数判定部、およびＲＢ利用率判定部の組み合わせとして構成したが、要求品質情報判定部、多重数判定部、およびＣＱＩ判定部の組み合わせとして構成してもよい。この場合には、ＲＢ利用率に代わり、ＣＱＩに基づいて、ＰＵＳＣＨを利用した非周期的なＣＱＩ報告か、ＰＵＣＣＨを利用した周期的なＣＱＩ報告か、が選択される。さらに、要求品質情報判定部、多重数判定部、およびＲＢ利用率判定部の組み合わせとして構成した情報判定部７６の代わりに、要求品質情報判定部、多重数判定部、およびＲＢ利用率判定部を個別に設けてもよいことは言うまでもない。【０１２０】
本国際出願は２００８年１月８日に出願された日本国特許出願２００８−００１６６６号に基づく優先権を主張するものであり、２００８−００１６６６号の全内容をここに援用する。
【図１】
2009087924.tif 000003
【図２】
2009087924.tif 000004
【図３】
2009087924.tif 000005
【図４】
2009087924.tif 000006
【図５】
2009087924.tif 000007
【図６】
2009087924.tif 000008
【図７】
2009087924.tif 000009
【図８】
2009087924.tif 000010
【図９】
2009087924.tif 000011
【国際調査報告】
2009087924.tif 000012
2009087924.tif 000013
2009087924.tif 000014
2009087924.tif 000015